(57)【要約】【課題】ボイラ内足場の工期を大幅に短縮することができる、ボイラ内足場の構築方法を提供する。【解決手段】水管ノーズ部２が形成されたボイラ本体１内に、ボイラ内足場を、支柱１１を介して上下多段に構築する、ボイラ内足場の構築方法において、ボイラホッパ４内に構築された下部作業床３上に吊り下げ式昇降作業床８を構築し、次いで、吊り下げ式昇降作業床用ジャッキ装置７により吊り下げ式昇降作業床８を水管ノーズ部２の直下まで上昇させ、そして、下部作業床３上に設置した下部足場用ジャッキ装置５により、下部作業床３と吊り下げ式昇降作業床８との間のボイラ本体１内に下部足場６を構築し、下部足場６の構築と同時に、吊り下げ式昇降作業床８上に上部足場９を構築する。【選択図】図１
2014109392.tif 000002
【特許請求の範囲】
【請求項１】
水管ノーズ部が形成された、ボイラのボイラ本体内にボイラ内足場を構築する、ボイラ内足場の構築方法において、
ボイラホッパ内に構築された下部作業床上に吊り下げ式昇降作業床を構築し、次いで、吊り下げ式昇降作業床用ジャッキ装置により前記吊り下げ式昇降作業床を前記水管ノーズ部の直下まで上昇させ、そして、前記下部作業床上に設置した下部足場用ジャッキ装置により、前記下部作業床と前記吊り下げ式昇降作業床との間の前記ボイラ本体内に下部足場を構築し、前記下部足場の構築と同時に、前記吊り下げ式昇降作業床上に上部足場を構築することを特徴とする、ボイラ内足場の構築方法。
【請求項２】
前記吊り下げ式昇降作業床用ジャッキ装置は、前記ボイラ本体内に垂直に設けられたストランドと、前記吊り下げ式昇降作業床に設置された、前記ストランドに沿って前記吊り下げ式昇降作業床を間欠的に昇降させるジャッキ本体とからなることを特徴とする、請求項１に記載の、ボイラ内足場の構築方法。
【請求項３】
前記下部足場用ジャッキ装置は、ジャッキ本体と、前記ジャッキ本体に対して昇降する昇降部材とを備え、前記下部作業床上に上段の足場を支柱と共に構築し、次いで、前記下部足場用ジャッキ装置により前記上段の足場を前記支柱と共に上昇させ、次いで、前記上段の足場の前記支柱に別の支柱を連結すると共に、前記上段の足場の下方部に下段の足場を構築し、次いで、前記昇降部材を元の位置に下降させた後、前記下部足場用ジャッキ装置により、前記上段の足場と前記下段の足場とを前記支柱と共に上昇させ、次いで、前記下段の足場の前記支柱にさらに別の支柱を連結する工程を繰り返し行うことによって前記下部足場を構築することを特徴とする、請求項１または２に記載の、ボイラ内足場の構築方法。
【請求項４】
前記吊り下げ式昇降作業床と前記下部足場の構築終了後、前記吊り下げ式昇降作業床と前記下部足場とを結合することを特徴とする、請求項１から３の何れか１つに記載の、ボイラ内足場の構築方法。
【発明の詳細な説明】
【技術分野】
【０００１】
この発明は、ボイラ内足場の構築方法、特に、ボイラの保守点検等のためにボイラ本体内に構築するボイラ内足場の工期を大幅に短縮することができる、ボイラ内足場の構築方法に関するものである。
【背景技術】
【０００２】
例えば、火力発電所に設置されている大型ボイラの炉壁やバーナーボックス等の保守点検等は、ボイラ本体内に足場を構築することにより行われている。
【０００３】
このボイラ内足場の構築法の一例が、特許文献１に開示されている。以下、このボイラ内足場の構築法を従来足場構築法１といい、図面を参照しながら説明する。
【０００４】
図８は、従来足場構築法１によりボイラ本体内に構築されたボイラ内足場を示す概略斜視図、図９は、従来足場構築法１を示す工程図であり、（Ａ）は、最上段の足場を構築した図、（Ｂ）は、最上段の足場の支柱とジャッキ本体の昇降部材とを連結した図、（Ｃ）は、ジャッキ本体の昇降部材を上昇させて最上段の足場を上昇させた図、（Ｄ）は、最上段の足場の支柱に別の支柱を連結し、最上段の足場より一段下の足場を構築した図、（Ｅ）は、最上段の足場の支柱とジャッキ本体の昇降部材との連結を解除した図、（Ｆ）は、ジャッキ本体の昇降部材を元の位置に下降させ、最上段の足場の支柱と連結した図、（Ｇ）は、ジャッキ本体の昇降部材を上昇させて、最上段の足場と一段下の足場とを上昇させた図、（Ｈ）は、一段下の足場の支柱にさらに別の支柱を連結した図である。なお、図９は、図８のＸ部の拡大図である。
【０００５】
図８において、２１は、ボイラ内足場であり、ボイラ本体２２の底部のボイラホッパ２３内に構築された下部作業床２４上に、ボイラ本体２２の高さ方向に沿って間隔をあけて上下多段に設置されている。各足場２１には、手摺２５が取り付けられ、上下段の足場２１間は、支柱２６により連結されていると共に、階段２７により作業員が上下段の足場２１間を自由に行き来できるようになっている。
【０００６】
従来足場構築法１によりボイラ内足場２１を構築するには、先ず、図９（Ａ）に示すように、ボイラホッパ２３内に構築された下部作業床２４に最上段の足場２１ａを支柱２６ａと共に構築する。作業床２４には、昇降部材２９を備えたジャッキ本体２８が支柱２６ａ毎に設置され、全てのジャッキ本体２８の昇降部材２９は、同時に昇降するようになっている。
【０００７】
次いで、同図（Ｂ）に示すように、最上段の足場２１ａの支柱２６ａと昇降部材２９とを連結部材３０により連結する。次いで、同図（Ｃ）に示すように、昇降部材２９を上昇させて最上段の足場２１ａを支柱２６ａと共に上昇させる。次いで、同図（Ｄ）に示すように、上昇させた最上段の足場２１ａの支柱２６ａに別の支柱２６ｂを連結し、最上段の足場２１ａの下方部に別の足場２１ｂを構築する。次いで、同図（Ｅ）に示すように、最上段の足場２１ａの支柱２６ａと昇降部材２９との連結を解除する。次いで、同図（Ｆ）に示すように、昇降部材２９を基に位置に下降させた後、最上段の足場２１ａの支柱２６ａと昇降部材２９とを連結部材３０により連結する。次いで、同図（Ｇ）に示すように、昇降部材２９を再度、上昇させて、足場２１ａと足場２１ｂとを支柱２６ａ、２６ｂと共に上昇させる。次いで、同図（Ｈ）に示すように、足場２１ｂの支柱２６ｂにさらに別の支柱２６ｃを連結し、足場２１ｂの下方部にさらに別の足場２１ｃを構築する。
【０００８】
以下、上記工程を繰り返し行うことによって、ボイラ本体２２内に、ボイラ内足場２１を上下多段に構築することができる。
【０００９】
上述の従来足場構築法１によれば、ボイラ内足場を確実に構築することはできるが、以下のような問題があった。
【００１０】
図１０に示すように、ボイラ本体２２内の上部には、水管ノーズ部３１がボイラ本体２２内に突出して形成されている場合がある。水管ノーズ部３１が形成されていると、上述した従来足場構築法１では、水管ノーズ部３１の直下までしか足場２１を構築することができない。
【００１１】
そこで、水管ノーズ部３１より上方部のボイラ本体２２内に設置されている過熱器３２等の保守点検用足場は、図１０に示すように、例えば、従来足場構築法１により下部作業床２４上に下部足場３３を、水管ノーズ部３１の直下まで構築した後、下部足場３３上に中間作業床３４を構築し、そして、中間作業床３４上に上部足場３５を構築することにより行っていた。
【００１２】
しかしながら、この方法では、下部作業床２４を構築した後、中間作業床３４を構築してからでないと上部足場３５を構築することができないので、ボイラ内足場の工期に長期間を要していた。
【００１３】
そこで、この問題を解決すべくなされた、ボイラ内足場の別の構築法の一例が、特許文献２に開示されている。以下、このボイラ内足場の構築法を従来足場構築法２といい、図面を参照しながら説明する。
【００１４】
図１１は、従来足場構築法２により上部足場が構築されたボイラ本体を示す概略断面図である。
【００１５】
図１１において、３６は、水平梁である。水平梁３６は、ボイラ本体２２の外側で構築され、ボイラ本体２２の側壁に形成された開口２２ａからボイラ本体２２内に張り出し可能に構成されている。水平梁３６上に上部足場３５が構築される。
【００１６】
従来足場構築法２により上部足場３５を構築するには、水平梁３６をボイラ本体２２の外側で構築し、次いで、水平梁３６をボイラ本体２２の側壁に形成された開口２２ａからボイラ本体２２内に張り出し、そして、水平梁３６上に上部足場３５を構築する。
【先行技術文献】
【特許文献】
【００１７】
【特許文献１】特公昭６３−１２２８６３号公報
【特許文献２】特開２０１１−８０６６８号公報
【特許文献３】特許第２８２８４３０号公報
【発明の概要】
【発明が解決しようとする課題】
【００１８】
従来足場構築法２によれば、上部足場３５の構築作業が他の作業と独立して行えるので、上部足場３５の工期を短縮することができるが、以下のような問題があった。
【００１９】
従来足場構築法２により、水平梁３６上に上部足場３５を構築している間は、工具や構築部材等が落下する危険性があるので、上部足場３５の構築が他の作業と独立して行えるとはいっても、実際は、上部足場３５を構築している間は、下部足場３３の構築や下部足場３３によるボイラの保守点検作業は行えない。
【００２０】
中間作業床３４を従来足場構築法２のように、水平梁３６をボイラ本体２２内に水平に張り出し、その上に足場板を設置することも提案されているが、この場合も同様に、中間作業床３４の構築中は、中間作業床３４より下方の作業は行えないので、ボイラ内足場全体の工期短縮にはならない。また、この作業は、下方に何もない高所作業となるので、作業効率が大きく低下する。さらに、水平梁３６の張り出し用の開口２２ａおよび水平梁３６の張り出し装置をボイラの耐圧部やその近傍の炉壁に複数、設ける必要があるので、特に、既設ボイラの場合には、設備の改造に時間と手間がかかる。
【００２１】
従って、この発明の目的は、水管ノーズ部が形成されているボイラにおいて、水管ノーズ部より下方の下部足場と、水管ノーズ部の直下より上方の上部足場との同時構築を容易かつ安全に行うことができるようにすることによって、ボイラ内足場の工期を大幅に短縮することができる、ボイラ内足場の構築方法を提供することにある。
【課題を解決するための手段】
【００２２】
この発明は、上記目的を達成するためになされたものであって、下記を特徴とするものである。
【００２３】
請求項１に記載の発明は、水管ノーズ部が形成された、ボイラのボイラ本体内にボイラ内足場を構築する、ボイラ内足場の構築方法において、ボイラホッパ内に構築された下部作業床上に吊り下げ式昇降作業床を構築し、次いで、吊り下げ式昇降作業床用ジャッキ装置により前記吊り下げ式昇降作業床を前記水管ノーズ部の直下まで上昇させ、そして、前記下部作業床上に設置した下部足場用ジャッキ装置により、前記下部作業床と前記吊り下げ式昇降作業床との間の前記ボイラ本体内に下部足場を構築し、前記下部足場の構築と同時に、前記吊り下げ式昇降作業床上に上部足場を構築することに特徴を有するものである。
【００２４】
請求項２に記載の発明は、請求項１に記載の発明において、前記吊り下げ式昇降作業床用ジャッキ装置は、前記ボイラ本体内に垂直に設けられたストランドと、前記吊り下げ式昇降作業床に設置された、前記ストランドに沿って前記吊り下げ式昇降作業床を間欠的に昇降させるジャッキ本体とからなることに特徴を有するものである。
【００２５】
請求項３に記載の発明は、請求項１または２に記載の発明において、前記下部足場用ジャッキ装置は、ジャッキ本体と、前記ジャッキ本体に対して昇降する昇降部材とを備え、前記下部作業床上に上段の足場を支柱と共に構築し、次いで、前記下部足場用ジャッキ装置により前記上段の足場を前記支柱と共に上昇させ、次いで、前記上段の足場の前記支柱に別の支柱を連結すると共に、前記上段の足場の下方部に下段の足場を構築し、次いで、前記昇降部材を元の位置に下降させた後、前記下部足場用ジャッキ装置により、前記上段の足場と前記下段の足場とを前記支柱と共に上昇させ、次いで、前記下段の足場の前記支柱にさらに別の支柱を連結する工程を繰り返し行うことによって前記下部足場を構築することに特徴を有するものである。
【００２６】
請求項４に記載の発明は、請求項１から３の何れか１つに記載の発明において、前記吊り下げ式昇降作業床と前記下部足場の構築終了後、前記吊り下げ式昇降作業床と前記下部足場とを結合することに特徴を有するものである。
【発明の効果】
【００２７】
この発明によれば、下部作業床上に吊り下げ式昇降作業床を構築し、吊り下げ式昇降作業床を水管ノーズ部の直下まで上昇させ、この後、下部作業床上に下部足場を構築すると同時に、吊り下げ式昇降作業床上に上部足場を構築することによって、ボイラ内足場を安全に構築することができ、しかも、工期を大幅に短縮することができる。
【図面の簡単な説明】
【００２８】
【図１】この発明によりボイラ本体内に構築されたボイラ内足場を示す断面図である。
【図２】ボイラホッパー内に構築された下部作業床を示す断面図である。
【図３】下部作業床上に構築された吊り下げ式昇降作業床と、吊り下げ式昇降作業床を昇降させる吊り下げ式昇降作業床用ジャッキ装置を示す断面図である。
【図４】吊り下げ式昇降作業床用ジャッキ装置により水管ノーズ部の直下まで上昇した吊り下げ式昇降作業床を示す断面図である。
【図５】下部作業床上に構築された下部足場と、吊り下げ式昇降作業床上に構築された上部足場とを示す断面図である。
【図６】図１における吊り下げ式昇降作業床より上方部を示す拡大図である。
【図７】図１における下部足場用ジャッキ装置部分を示す拡大図である。
【図８】従来足場構築法１によりボイラ本体内に構築されたボイラ内足場を示す概略斜視図である。
【図９（Ａ）】従来足場構築法１を示す工程図のうち、最上段の足場を構築した図である。
【図９（Ｂ）】従来足場構築法１を示す工程図のうち、最上段の足場の支柱とジャッキ本体の昇降部材とを連結した図である。
【図９（Ｃ）】従来足場構築法１を示す工程図のうち、ジャッキ本体の昇降部材を上昇させて最上段の足場を上昇させた図である。
【図９（Ｄ）】従来足場構築法１を示す工程図のうち、最上段の足場の支柱に別の支柱を連結し、最上段の足場より一段下の足場を構築した図である。
【図９（Ｅ）】従来足場構築法１を示す工程図のうち、最上段の足場の支柱とジャッキ本体の昇降部材との連結を解除した図である。
【図９（Ｆ）】従来足場構築法１を示す工程図のうち、ジャッキ本体の昇降部材を元の位置に下降させ、最上段の足場の支柱と連結した図である。
【図９（Ｇ）】従来足場構築法１を示す工程図のうち、ジャッキ本体の昇降部材を上昇させて、最上段の足場と一段下の足場とを上昇させた図である。
【図９（Ｈ）】従来足場構築法１を示す工程図のうち、、一段下の足場の支柱にさらに別の支柱を連結した図である。
【図１０】水管ノーズ部が形成されたボイラ本体を示す断面図である。
【図１１】従来足場構築法により上部足場が構築されたボイラ本体を示す概略断面図である。
【発明を実施するための形態】
【００２９】
この発明の、ボイラ内足場の構築方法の一実施態様を、図面を参照しながら説明する。
【００３０】
図１は、この発明の、ボイラ内足場の構築方法によりボイラ本体内に構築されたボイラ内足場を示す断面図である。
【００３１】
図１において、１は、ボイラ本体、２は、ボイラ本体１の上部に、ボイラ本体１の内側に突出して形成された水管ノーズ部、３は、ボイラホッパー４内に構築された下部作業床、５は、下部作業床３上に設置された下部足場用ジャッキ装置、６は、下部作業床３上に構築された下部足場、７は、吊り下げ式昇降作業床用ジャッキ装置、８は、昇降作業用ジャッキ装置７により昇降する吊り下げ式昇降作業床、９は、吊り下げ式昇降作業床８上に構築した上部足場である。
【００３２】
下部足場６は、下部作業床３と吊り下げ式昇降作業床８との間のボイラ本体１内に間隔をあけて上下多段に構築されている。各下部作業床３には、手摺１０が取り付けられ、上下段の下部足場６間は、支柱１１により連結されていると共に、階段１２により作業員が上下段の下部足場６間を自由に行き来できるようになっている（図７参照）。
【００３３】
下部足場用ジャッキ装置５は、上述した従来足場構築法１におけると同様に、ジャッキ本体２８とジャッキ本体２８に対して昇降する昇降部材２９とからなっている（図７参照）。
【００３４】
吊り下げ式昇降作業床用ジャッキ装置７は、上端部がボイラ本体１の頂部に固定され、ボイラ本体１内に垂直に設けられたストランド１３と、ストランド１３に沿って吊り下げ式昇降作業床８を間欠的に昇降させるジャッキ本体１４とからなっている（図６参照）。吊り下げ式昇降作業床用ジャッキ装置７としては、例えば、特許文献３に開示されたセンターホール式ジャッキを使用する。
【００３５】
次に、この発明による、ボイラ内足場の構築方法について説明する。
【００３６】
先ず、図２に示すように、ボイラホッパ４内に下部作業床３を構築する。
【００３７】
次いで、図３に示すように、下部作業床３上に吊り下げ式昇降作業床８を構築し、吊り下げ式昇降作業床用ジャッキ装置７を設置する。すなわち、吊り下げ式昇降作業床８にジャッキ本体１４を設置し、上端部をボイラ本体１の頂部に固定したストランド１３をジャッキ本体１４に挿通する。
【００３８】
なお、この例では、ジャッキ本体１４は、吊り下げ式昇降作業床８に設置されているが、ジャッキ本体１４をボイラ本体１外のボイラ鉄骨３７（図１参照）に設置し、ストランド１３の下端部を吊り下げ式昇降作業床８に固定しても良い。このようにすることによって、ボイラ停止前にジャッキ装置７のセットアップが行え、かつ、並行作業も行えるので、その分、工期の短縮を図ることができる。
【００３９】
次いで、図４に示すように、吊り下げ式昇降作業床用ジャッキ装置７により吊り下げ式昇降作業床８をストランド１３に沿って水管ノーズ部２の直下まで上昇させる。
【００４０】
次いで、図５に示すように、下部作業床３上に下部足場用ジャッキ装置５を設置し、上述した従来足場構築法１におけると同様にして、下部足場６を下部作業床３上に構築し、最終的に、図１に示すように、下部足場６を下部作業床３と吊り下げ式昇降作業床８との間のボイラ本体１内に間隔をあけて上下多段に構築する。
【００４１】
そして、下部足場６の構築と同時に、吊り下げ式昇降作業床８上に上部足場９を構築する。
【００４２】
なお、吊り下げ式昇降作業床８と下部足場６の構築終了後、吊り下げ式昇降作業床８と下部足場６とを結合すれば、これらの剛性が飛躍的に向上するので、安全性と耐震性が向上する。なた、両作業床を結合することによって、互いの作業床の強度を補完することができるので、その分、部材の最小化を図ることができる。
【００４３】
上述したように、この発明によれば、下部作業床３上に吊り下げ式昇降作業床８を構築し、吊り下げ式昇降作業床８を水管ノーズ部２の直下まで上昇させ、この後、下部作業床３上に下部足場６を構築すると同時に、吊り下げ式昇降作業床８上に上部足場を構築することによって、ボイラ内足場を安全に構築することができ、しかも、工期を大幅に短縮することができる。
【符号の説明】
【００４４】
１：ボイラ本体
２：水管ノーズ部
３：下部作業床
４：ボイラホッパ
５：下部足場用ジャッキ装置
６：下部足場
７：吊り下げ式昇降作業床用ジャッキ装置
８：吊り下げ式昇降作業床
９：上部足場
１０：手摺
１１：支柱
１２：階段
１３：ストランド
１４：ジャッキ本体
２１、２１ａ、２１ｂ：ボイラ内足場
２２：ボイラ本体
２２ａ：開口
２３：ボイラホッパ
２４：下部作業床
２５：手摺
２６、２６ａ、２６ｂ：支柱
２７：階段
２８：ジャッキ本体
２９：昇降部材
３０：連結部材
３１：水管ノーズ
３２：過熱器
３３：下部足場
３４：中間作業床
３５：上部足場
３６：水平梁
３７：ボイラ鉄骨
【図１】
2014109392.tif 000003
【図２】
2014109392.tif 000004
【図３】
2014109392.tif 000005
【図４】
2014109392.tif 000006
【図５】
2014109392.tif 000007
【図６】
2014109392.tif 000008
【図７】
2014109392.tif 000009
【図８】
2014109392.tif 000010
【図９（Ａ）】
2014109392.tif 000011
【図９（Ｂ）】
2014109392.tif 000012
【図９（Ｃ）】
2014109392.tif 000013
【図９（Ｄ）】
2014109392.tif 000014
【図９（Ｅ）】
2014109392.tif 000015
【図９（Ｆ）】
2014109392.tif 000016
【図９（Ｇ）】
2014109392.tif 000017
【図９（Ｈ）】
2014109392.tif 000018
【図１０】
2014109392.tif 000019
【図１１】
2014109392.tif 000020